(57)【要約】  特別注文仕立て方法は、第１の場所における顧客の三次元スキャニングによって顧客の体の三次元イメージを得る工程と、前記イメージ、又は前記体の三次元イメージから計算される体の複数の採寸値の組をネットワークを通じて第２の場所に送信する工程と、特別注文仕立て及びフィッティングのために第２の場所にあるコンピュータ制御可能なマネキンを調整する工程とを含む。また、オンラインの買い物客に衣服を披露するための方法も開示されている。その方法は、オンライン接続を通じて買い物客の採寸値を受け取る工程と、前記買い物客の採寸値に対応した第１の規格化されたサイズを決定する工程と、前記買い物客の採寸知勇するマネキンに衣服を着せる工程と、前記マネキンに着せた衣服を再現した複数のイメージの第１の組を得る工程と、前記複数のイメージの第１の組を買い物客に提示する工程とを含む。
2010521253.tif 000002
【特許請求の範囲】
【請求項１】
試着プロセスの支援を行うために顧客に衣服を披露する方法であって、
顧客の採寸値を受け取る工程と、
前記顧客の採寸値に最も近い第１の規格化されたサイズを決定する工程と、
顧客の採寸値に対応したマネキンに前記第１の規格化されたサイズの第１の衣服を着せる工程と、
前記マネキンに着せた前記衣服を再現した複数のイメージの第１の組を得る工程と、
前記複数のイメージの第１の組を顧客に提示する工程と
を含む、方法。
【請求項２】
前記第１の規格化されたサイズよりも規格化されたサイズが一つ小さいサイズの第２の衣服を前記マネキンに着せる工程と、
複数のイメージの第２の組を得る工程と、
前記第２の衣服を再現する工程と、
前記複数のイメージの第２の組を顧客に提示する工程と
を含む、請求項１に記載の方法。
【請求項３】
前記第１の規格化されたサイズよりも規格化されたサイズが一つ大きいサイズの第３の衣服を前記マネキンに着せる工程と、
複数のイメージの第３の組を得る工程と、
前記第３の衣服を再現する工程と、
前記複数のイメージの第３の組を顧客に提示する工程と
を含む、請求項１又は２に記載の方法。
【請求項４】
前記衣服のデザイナーによって創作された前記衣服の第４のイメージを顧客に提供する工程を含む、請求項１乃至３のいずれか一項に記載の方法。
【請求項５】
前記イメージをビデオ収録手段で取得する工程を含む、請求項１乃至４のいずれか一項に記載の方法。
【請求項６】
調整可能なマネキンを用いる工程を含む、請求項１乃至５のいずれか一項に記載の方法。
【請求項７】
前記調整可能なマネキンとしてコンピュータ制御可能なマネキンを用いる、請求項６に記載の方法。
【請求項８】
特別注文仕立ての方法であって、
第１の地理的位置で顧客を三次元スキャニングすることにより顧客の体の三次元イメージを得る工程と、
顧客の前記三次元イメージを前記第１地理的位置にある第１コンピュータに入力する工程と、
顧客の前記三次元イメージから体の複数の採寸値の組を計算する工程と、
ネットワークを介して、第２の地理的位置にある第２コンピュータに、前記体の複数の採寸値の組を送信する工程と、
前記第２コンピュータに接続されたコンピュータ制御可能なマネキンを調整するために、前記体の複数の採寸値の組を利用する工程と、
特別注文仕立て及びフィッティングに前記マネキンを用いる工程と
を含む、方法。
【請求項９】
垂直支持部材を含むコンピュータ制御可能な肩のマネキンのための肩の構造であって、
第１端及び第２端を有する第１の延伸可能なリンクであって、前記第１の延伸可能なリンクの前記第１端は前記垂直支持部材に回動可能に接続されており、前記第１の延伸可能なリンクは垂直軸及び水平軸の両軸の周りに回動自在である、第１の延伸可能なリンクと、
第１端及び第２端を有する第２の延伸可能なリンクであって、前記第２の延伸可能なリンクの前記第１端は前記第１の延伸可能なリンクの前記第２端に接続されており、前記第２の延伸可能なリンクは前記第２の延伸可能なリンクを直線的に延伸及び収縮させるためのモータを有しており、前記第２の延伸可能なリンクは前記垂直支持部材に実質的に平行である、第２の延伸可能なリンクと、
第１端及び第２端を有する第３の延伸可能なリンクであって、前記第３の延伸可能なリンクの前記第１端は前記第２の延伸可能なリンクの前記第２端に接続されるとともに、前記第３の延伸可能なリンクの前記第２端は前記垂直支持部材に回動自在に接続されており、前記第３の延伸可能なリンクは前記第３の延伸可能なリンクを直線的に延伸及び収縮させるためのモータを有しており、前記第３の延伸可能なリンクは前記垂直支持部材に実質的に平行であり、前記第１の延伸可能なリンク及び前記第２の延伸可能なリンクとともに前記垂直支持部材に平行な平面を構成する、第３の延伸可能なリンクと、
前記垂直支持部材に平行な軸の周りで前記平面を回転させる手段と
を含む、肩の構造。
【請求項１０】
第１端及び第２端を有する棒部材であって、前記棒部材の前記第１端は前記垂直支持部材に接続されるとともに、前記垂直支持部材及び前記第３の延伸可能なリンクに平行である、棒部材を含み、
前記平面を回転させる手段は第１端及び第２端を有する第４の延伸可能なリンクを含んでおり、前記第４の延伸可能なリンクの前記第１端は前記棒部材の前記第２端と接続されており、前記第４の延伸可能なリンクの前記第２端は前記第３の延伸可能なリンクの前記第１端に接続されており、前記第４の延伸可能なリンクは前記第４の延伸可能なリンクを延伸及び収縮させるためのモータを有する、請求項９に記載の肩の構造。
【請求項１１】
コンピュータ制御可能な肩のマネキンであって、
前記肩のマネキンの右肩を動かすための請求項９に記載された第１の肩の構造と、
前記肩のマネキンの左肩を動かすための請求項９に記載された第２の肩の構造と
を含む、肩のマネキン。
【請求項１２】
コンピュータで調整可能なマネキンの上でデザイナーズブランドの衣服をデザインする方法であって、
前記コンピュータで調整可能なマネキンに衣服を着せる工程と、
複数の予め規格化されたサイズ及び複数の体型に対する衣服のフィット具合を評価するために、前記コンピュータで調整可能なマネキンを前記複数の予め規格化されたサイズ及び複数の体型に調整する工程と
を含む、方法。
【発明の詳細な説明】
【技術分野】
【０００１】
本発明は、男性及び女性のスーツのように特別注文で仕立てた衣服を含む衣服の特別注文による仕立て及び小売りの分野に関する。本発明は、複数の異なる採寸方法をオンラインでの小売り及び仕立てと組み合わせ、オンライン環境を通じた特別注文仕立てを含む、より特別な買い物体験を顧客に提供するものである。
【背景技術】
【０００２】
今日販売されている衣服の大多数は、限られた規格サイズで、工場で大量生産されたものである。典型的には、販売店において、顧客は衣服に記されたサイズに基づいて衣服を見つけ出し、自分に合うサイズを見つけるために幾つもの衣服を試着する。しかしながら、オンライン環境、例えば、オンラインショップでは、衣服を試着することはできない。それゆえ、オンラインショップの買い物客が頼ることができるのは、衣服の製造者によって記されたサイズだけである。残念なことに、世界中には、衣服の採寸をする沢山の異なるシステムが存在する。例えば、国際規格ＩＳＯ３６３５（衣服のサイズ表示の定義と体の採寸方法）、欧州連合の新規格ＥＮ１３４０２（一般的な利用には至っていない）、及び数多くの国の基準が挙げられる。例えば、アメリカ合衆国やイギリスのような国では、様々な異なるシステムが存在する。さらに、衣服の採寸を行うシステムは変化してきており、製造者によっても異なる。オンラインショップの買い物客は、どのサイズが一番フィットするのかという助言が殆どない状態である。多くの場合、オンラインショップの買い物客は、受け取った衣服に満足せず、オンラインショップに返品する。オンラインショップにとって、返品された衣服は、利益の取り逃がし、コストの増大、及び顧客の不満足の増大を意味する。従って、オンラインショップの買い物客がより良い買い物の決断を行えるように支援するシステム及び方法へのニーズが存在する。
【０００３】
もう一つの一般的に知られている注目すべき事項として、事実上、全く同じ姿や体型を持つ人間は二人はいないということがある。従って、幾つもの予め規格化された衣服のサイズを用いて、寸法直しを行うことなく、各顧客に良くフィットする衣服を供給することは、殆ど不可能である。おおよそのサイズの衣服を各顧客にフィットさせることは、小売店にとって典型的なことである。衣服が顧客の特定の体型に正確にフィットすることは、めったにないのである。このような場合、プロの衣服販売員は、典型的には、寸法直しのために衣服に印を付け、その衣服は調整のために仕立て屋に送られる。その後、顧客は、衣服を受け取るために小売店に再び来なければならない。その際、顧客は、典型的には衣服を着て、適切な仕立ての調整が行われたことを確認するために、衣服の仕上げられた形状を点検してもらう。採寸や仕立てが正確でない場合は、衣服は再び仕立て屋に戻され、さらに修正が行われる。これは明らかに、面倒で、時間の無駄で、費用のかかる仕事である。オンライン環境では、伝統的な手段を用いた寸法直しや仮縫いは、成し遂げられない。
【０００４】
小売店の寸法直し処理に代わる周知の手法は、顧客の肉体的な体型の正確な採寸値を衣服の製造（特別注文仕立て）の前に得ることである。このような採寸を実行する方法は２つある。個々の製品に対して必要な採寸については小売人が行う手作業を用いる方法。もう一つの方法は、二次元又は三次元の（一つ又は複数の）スキャナを用いて一度の工程で体全体の採寸を自動的に行う方法。２つ目の方法の優位点は、一組の測定機器で、小売人は、様々なタイプの衣服（例えば、シャツ、ズボン、ジャケット、等々）を製造するために必要なすべての採寸を得ることができることである。同時に、この方法は、より高価であり、スキャナに投資することが必要となる。また、小売人は、全部揃った測定データから、複数の製品のための個人の採寸結果を導き出せることが必要となる。
【発明の概要】
【発明が解決しようとする課題】
【０００５】
服飾産業のために、E-Taylorプロジェクト（http://www.atc.gr/e-tailor/  参照）のような数々のコンピュータ支援設計（ＣＡＤ）システムが開発されてきた。これらのシステムの有用性は限定的であった。顧客から採取された採寸値（伝統的な手段、又は、３Ｄボディスキャニングのような先進技術のいずれかによる採寸値）に基づいて裁断を行えたとしても、システムは、完全に左右対称で完璧な人体が存在しないことを考慮に入れていない。例えば、姿勢の欠点により、人の片方の肩は他方の肩よりも若干高いことがよくある。このような状況では、良き仕立て人は、姿勢の欠点を衣服で視覚的に隠そうと試行する。また、衣服の見た目は、用いられる生地に大きく依存する。すなわち、生地がどのくらい厚いか、どのくらい形が崩れるかということに大きく依存する。それゆえ、３Ｄボディスキャニングを用いて３Ｄイメージを製造の位置に配置しても、重要な部分は、依然として実際の顧客に衣服を試着してもらって採寸が行われていた。顧客に衣服を試着してもらう代わりに、顧客の正確な肖像であるマネキンが用いられることは明らかだった。
【０００６】
一つの選択肢は、顧客の体の複製であるマネキンを製造することである。しかしながら、このやり方は、大抵の場合、法外に高価であり、また、殆どの人は、同一の場所から衣服を注文しないので、コストは余計に高くなる。
【０００７】
代替手段は、調整可能なマネキンを用いて、同一のマネキンを多くの顧客に合わせて調整できるようにすることである。調整可能なマネキンは、特別注文仕立てでは、よく知られている。しかしながら、このようなマネキンは、手動で調整され、調整可能な範囲は限定的であった。コンピュータによって制御される調整可能なマネキンは、米国特許第４８８５８４４号で提案されている（記載はされていない）。記載されている手動で調整可能なマネキンは、垂直支持部材と、一連の楕円形で円周状の調整可能な弾性（伸縮性）のある部材と含み、調整ボスとネジと簡易なクランクシャフトスクリュードライバーを用いて、主軸及び幅軸の両方を調整可能にしている。
【０００８】
従って、求められているものは、オンライン環境における特別注文仕立てのためのシステム及び方法である。また、操作者が自動的、半自動的、又は手動に顧客の体を正確に表すことができるように、コンピュータ制御可能で調整可能なマネキンも求められている。
【課題を解決するための手段】
【０００９】
本発明の一つの目的は、試着工程を容易にするために、オンラインの買い物客にオンライン環境で衣服を披露するための方法である。この方法は、買い物客の採寸値をオンライン接続を通じて受け取る工程、買い物客の採寸値に応じた第１の規格化されたサイズを決定する工程；買い物客の採寸値を有するマネキンに衣服を着せる工程；マネキンに着せた衣服を表すイメージの第１組を得る工程；及び、イメージの第１組を買い物客に示す工程を含む。顧客は、衣服が自分の上でどのように見えるかを表す非常に実物に近い近似を見ることができる。顧客の採寸値を得る工程は、例えば、オンラインフォームの記入、電子測定巻き尺、顧客を写真撮影又はビデオ撮影して写真又はビデオから採寸値を抽出すること、又は３Ｄボディスキャニングのような、いかなる周知の手段による採寸値を供給する工程を含んでもよい。マネキンは、規格化された複数のマネキンの組から選択されてもよい。また、調整可能なマネキン、又はコンピュータで調整可能なマネキンを買い物客の採寸値を表すように高度に調整して用いることは好ましい。また、人間をマネキンとして用いてもよい。この方法は、第１の規格化されたサイズよりも、規格化されたサイズが一つ（又はそれ以上）大きい衣服、及び規格化されたサイズが一つ（又はそれ以上）小さい衣服をマネキンに着せる工程を含んでもよい。
【００１０】
本発明の他の目的は、オンラインの特別注文仕立てに上述の方法が適用されるシステムである。このような特別注文仕立て用の統合システムは、顧客に対応する採寸値データの組を獲得すること、採寸値データの組を第２の場所に送信すること、顧客を再現するようにマネキンを調整すること、衣服を製造すること、製造した衣服をマネキンに試着させること、マネキンに着せた衣服の写真撮影又はビデオ撮影を行うこと、確認のために写真又はビデオを顧客（又は、仕立て人のスーパーバイザー）に引き渡すこと、及び顧客に衣服を配達することを行うために、３Ｄボディスキャニングシステム、又はその他の適当なシステムを含む。調整可能なマネキンは、特定の顧客を再現するために、操作者がマネキンを自動的又は半自動的に調整できるように、コンピュータで調整可能であることが好ましい。
【００１１】
本発明のその他の目的は、第１の地理的位置にいる顧客に三次元スキャニングを行うことによって顧客の体の三次元イメージを得る工程、顧客の三次元イメージを第１の地理的位置にある第１コンピュータに入力してネットワークを介して第２の地理的位置にある第２コンピュータに三次元イメージを送信する工程、顧客の三次元イメージから体の採寸値の組を計算する工程；第２コンピュータに接続されたコンピュータ制御可能なマネキンを調節するために体の採寸値の組を使用する工程；及び特別注文仕立て及び仮縫いのためにマネキンを用いる工程を含む、特別注文仕立て方法である。
【００１２】
本発明のその他の目的は、上述のシステムで用いることができ、上述の方法で機能することのできる、コンピュータ制御可能なマネキンであり、マネキンは、独立的に上下、前後、及び左右に調節することのできる、右肩部分及び左肩部分を含む。
【図面の簡単な説明】
【００１３】
【図１】発明されたオンラインの特別注文仕立ての方法を実行可能なシステムを示す図。
【図２】図２乃至図７は、本発明によるコンピュータ制御で調整可能な肩のマネキンの実施形態を示す図であり、図２はマネキンの透視図。
【図３】図２乃至図７は、本発明によるコンピュータ制御で調整可能な肩のマネキンの実施形態を示す図であり、図３はマネキンの拡大図。
【図４】図２乃至図７は、本発明によるコンピュータ制御で調整可能な肩のマネキンの実施形態を示す図であり、図４はマネキンの側面図。
【図５】図２乃至図７は、本発明によるコンピュータ制御で調整可能な肩のマネキンの実施形態を示す図であり、図５はマネキンの正面図。
【図６】図２乃至図７は、本発明によるコンピュータ制御で調整可能な肩のマネキンの実施形態を示す図であり、図６はマネキンの平面図。
【図７】図２乃至図７は、本発明によるコンピュータ制御で調整可能な肩のマネキンの実施形態を示す図であり、図７はマネキンの背面図。
【図８】マネキンの首部分の例示的な形態である。
【発明を実施するための形態】
【００１４】
本発明の第１の実施の形態によれば、試着工程を支援するために、オンラインショップのオンラインの買い物客に衣服を披露する方法が開示される。オンラインショップは、インターネットに接続されたコンピュータ、又はデータネットワークを通じたオンラインショップへのアクセスを有するスマートフォン、ポケットＰＣ、あるいはその他の装置を通じてアクセスできるものである。オンラインの買い物客は第１の場所におり、オンラインショップ（又は、工場、あるいは仕立て人の店舗、もしくは商品保管所）は第２の場所に存在し、互いにデータネットワークを通じて接続されている。この方法は、買い物客の採寸値をオンライン接続を通じて受け取る工程、買い物客の採寸値に応じた第１の規格化されたサイズを決定する工程；買い物客の採寸値に応じたマネキンに衣服を着せる工程；マネキンの上で衣服を表すイメージの第１組を得る工程；及び、イメージの第１組を買い物客に示す工程を含む。顧客は、自分が着ると衣服がどのように見えるかを表す非常に実物に近い近似を見ることができる。顧客の採寸値を得る工程は、例えば、オンラインフォームの記入、電子測定巻き尺、顧客を写真撮影又はビデオ撮影して写真又はビデオから採寸値を抽出すること、又は３Ｄボディスキャニングのような、いかなる周知の手段による採寸値を供給する工程を含んでもよい。マネキンは、規格化された複数のマネキンの組から選択されてもよい。また、調整可能なマネキン、又はコンピュータで調整可能なマネキンを買い物客の採寸値を表すように高度に調整して用いることが好ましい（このようなコンピュータで調整可能なマネキンについては以下で説明する）。また、人間をマネキンとして用いてもよい。この方法は、顧客がどれが一番フィットするかを決めるために同じ衣服の様々な異なるサイズを試着する煉瓦とモルタルで作られた店舗における買い物プロセスと同様に、第１の規格化されたサイズよりも、規格化されたサイズが一つ（又はそれ以上）大きい衣服、及び規格化されたサイズが一つ（又はそれ以上）小さい衣服をマネキンに着せる工程を含んでもよい。
【００１５】
買い物の体験をさらに改善するために、衣服を着たマネキンの３６０°の光景のビデオクリップが提供される。また、衣服のフィット具合を示すために、衣服を録画する間に、マネキンに風を当ててもよい。
【００１６】
同一のシステムは、オンラインショップに限らず、小売店において用いられてもよい。この場合、在庫の複数のサイズの異なる衣服がサイズの異なる複数のマネキンに着せられた状態で、写真撮影、及び／又はビデオの録画を予め行っておけばよい。写真（又はビデオ）は、顧客が複数の異なるサイズを試着することなく、衣服が自分にどのように合うかを判断するのに役立つ。
【００１７】
図１は、オンラインによる特別注文仕立ての方法を実行することのできるシステム１を示す図である。第１の場所において、顧客は、三次元（３Ｄ）ボディスキャニング装置２に入る。顧客の３Ｄイメージが採取される（ボディスキャニング装置２は顧客が操作可能であり、あるいは、操作者、例えば、店舗の店員が操作可能であることは自明である）。３Ｄボディスキャニングには、白色光、赤外光、高周波、レーダ、又はレーザによるスキャニングに基づく技術を含む様々な技術を用いることができる。現在、メンテナンスコストと安全性から、白色スキャナが最も期待されている。このような技術は、数々の製造業者（例えば、ドイツのHuman  Solutions  GmbH）から入手可能である。
【００１８】
３Ｄイメージは、ボディスキャニング装置２に接続された第１コンピュータ３に送信される。第１コンピュータ３では、３Ｄイメージに対して数々のデータ処理工程が実行される。例えば、直線的な寸法（linear  dimensions）、表面領域（surface  areas）、形状（shapes）、及び体積（volume）が計算され、及び／又は、３Ｄイメージは、小さなファイルサイズに圧縮又は編集される、又は（例えば、顧客の顔をぼかすことにより）顧客のプライバシーを保護するように、あるいはより見やすいように編集される。
【００１９】
そして、顧客の体に対応したデータの組は、コンピュータネットワーク４を介して第２場所（工場又は仕立て屋がある場所であり、異なる地域又は国であってもよい）の第２コンピュータ５に送信される。調整可能なマネキンは、すべてがコンピュータによって制御されるもの、あるいは一部がコンピュータによって制御されるもののいずれであっても、第２コンピュータ５に接続される。マネキンは、顧客の体を正確に再現するように調整可能である。そして、調整されたマネキンは、顧客のためにジャケットやスーツのような衣服を特別注文で仕立てるために用いることができる。衣服を試着する工程は、写真またはビデオで撮影可能であり、そのイメージは、コンピュータネットワーク２、あるいは、その他の適当な通信チャネル（例えば、３Ｇ携帯電話ネットワーク）を通じて、（確認目的のため、又はクオリティコントロール目的のために）他の場所、例えば、顧客、又は販売員、もしくはデザイナー、あるいはその他の仕立て屋に送信される。衣服は、マネキンの上で（着せた状態で）見ることができる。これに代えて、試着体験のような、より現実的な様子を提供するために、衣服のイメージは、顧客のイメージと組み合わせることも可能である。また、イメージ又はビデオは、第１コンピュータと第２コンピュータのいずれか一方、又は両方に格納可能であり、又は、将来利用するために、第１の場所又は第２の場所のいずれかの場所、あるいは、第３の場所にあるその他のコンピュータに格納されてもよい。
【００２０】
十分に正確な顧客の採寸値を有するマネキンは、コンピュータ支援により採寸されて仕立てられた製品のフィットの程度を決定するためにも利用可能である。
【００２１】
マネキンは、コンピュータによって制御・調整可能である。マネキンは、特定の衣服の形式あるいは性質によって要求される範囲において、少なくとも調整可能でなければならない。例えば、男性用のジャケットの場合は、最も重要な部分は両肩である。図２乃至図７は、そのようなマネキンを示しており、両肩間の幅、両肩の傾き、及び胸と両肩の形状の調整を行うことができる。重要なのは、実際に完全に左右対称な人はいないので、右側と左側（例えば、右肩の傾きと左肩の傾き）を独立的に調整可能なことである。
【００２２】
マネキン６は、垂直支持部材７と、垂直支持部材７に接続された２つの肩リンケージ８ａ及び８ｂを含む。肩リンケージ８ａ、８ｂは、垂直支持部材７に対して２つの方向に（すなわち、垂直軸及び水平軸の両軸の周りに）回転可能である。肩リンケージ８ａ、８ｂは、長さを調整可能にすべく、テレスコピック又はその他の適当な構造を有する。
【００２３】
肩リンケージ８ａ、８ｂは、マネキン６の両肩を支持し、両肩の傾きを決定し、同様に肩の先端及び肩プレート１５ａの位置を決定する。マネキン６は、カバー９を有する。カバー９は、十分に伸縮性があって弾力性のある材料で作製される。好適な材料としては、例えば、Otto  Bock  Healthcare（アメリカ合衆国、ミネソタ）が製造するPadding  Material  BockLiteが挙げられる。
【００２４】
右肩の先端と左肩の先端は、両方とも、三方向（上昇／下降、垂直支持部材７に近づく方向／離れる方向、後ろ方向／前方向）に互いに独立して移動可能である。左肩の傾きは、手段１０ａによって調整され、左肩の先端は、手段１１ａによって垂直支持部材７に近づけるように、及び離れるように調整することができ、左肩の先端は、手段１２ａによって後方及び前方に移動可能である。同様に、手段１０ｂ、１１ｂ、及び１２ｂは、右肩の先端を移動させるために用いられる。
【００２５】
手段１０ａ、１０ｂ、１１ａ、１１ｂ、１２ａ、及び１２ｂの各々は、電動モータ２０ａ、２０ｂ、２１ａ、２１ｂ、２２ａ、及び２２ｂのようなモータを有する。図２乃至図７には、回転運動を直線運動に変換する変換装置（例えば、スクリューねじ；変換装置がベルトも用いてよいことは自明である）に接続された回転モータを示す。また、電動式の回転モータの代わりに、リニアモータを用いることができる。回転運動を線形運動に変換する装置が音を発生するかも知れないが、正しい位置でアクチュエータを保持するのに出力を必要としないことは自明である。
【００２６】
マネキン６は、背中の形状を変更するための手段（１３ａ及び１３ｂ参照）と、胸の形状を変更するための手段（１４ａ及び１４ｂ参照）とをさらに含む。これらの手段は、モータ（２３ａ、２３ｂ、２４ａ、２４ｂ）と、このモータによって駆動されるテレスコピックリンクを含んでもよい。
【００２７】
アクチュエータは、線形位置モニタ（例えば、計数ホイールに接続され、アクチュエータの最も接近した位置又は最も離れた位置を検出するセンサ）を含む。
【００２８】
図８は、コンピュータ制御可能なマネキンの首部分３０の一例を示す。首部分３０は、要素３１乃至３４を動かすことにより、首の直径を調整できるようになっている（図８には４つの要素を示すが、要素の数は重要ではない）。首部分３０は、垂直要素３５とモータ３６を有する。モータ３６が提供する線形的な動きは、４つのリンク（図８に４１、４３、及び４４を示すが、もう１つは隠れている）を介して、要素３１乃至３４の放射状の動きに変換される。
【００２９】
マネキン６は、垂直支持部材７に加えて、背中領域により良い近似をもたらすための脊椎状の構造体を含んでもよい。脊椎状の構造体は、垂直支持部材７に実質的に垂直で延伸可能な複数のリンクを介して垂直支持部材７に取り付けられる、柔軟性及び伸縮性のある材料（例えば、強力な螺旋状のスプリング）で作製される。複数のリンクの各々は、垂直支持部材７からの距離と脊椎状の構造体の曲率を必要に応じて調整できるようにするために、アクチュエータ（例えば、リニアモータ、又は回転運動を線形運動に変換する変換装置付きの回転モータ）を含む。脊椎の曲率を再現するためには、５つの延伸可能なリンクが必要であることが理解できよう（もし脊椎の一端が垂直支持部材７に固定的に接続されるのであれば、延伸可能なリンクは４つでよい）。
【００３０】
電動モータの代わりに、気体又は液体で駆動されるアクチュエータのような、その他の形式のアクチュエータを用いることができる。
【００３１】
マネキン６は、ＰＣのようなコンピュータによって制御される。好適な形態では、マネキン６は、制御ブロックを有しており、すべてのモータは、複数のコントローラを有する制御ブロックに接続されている。制御ブロックは、好適には、ＵＳＢポートのような標準ポートを介してコンピュータに接続される。この場合、マネキン６は、（グラフィック）ユーザインターフェイスを介して制御することができる。プリンタやスキャナのようなコンピュータの周辺装置と同様に、マネキンは、好適には、コンセントにプラグを差し込んで使用する装置として設計される。好適には、マネキンは、３Ｄイメージに基づいて、他にいかなる追加のデータや情報を入力する必要なく、顧客の体を再現するように自動的に調整が行われる。
【００３２】
上述のマネキン６及びシステムは、デザイナーズブランドの服をデザインするプロセスにおいても用いることができる。衣服はマネキン６に着せられる。そして、マネキン６のサイズ、及び／又は、マネキン６の姿勢は、コンピュータに格納されて実行されるアルゴリズムに従って変更される。例えば、デザインの段階では、デザイナーは、複数の異なるサイズの服がどのように見え、また、体のタイプや姿勢が異なる人でどのように見えるのかを迅速に見ることができる。マネキン６は、大量生産のための服の新しいデザインを決める段階においても用いることができる。そのとき、マネキン６は、必要な寸法（例えば、サイズ５０）を有する人間の代わりに用いることができる。また、そのようなモデルとなる人間の測定方法は、地域によって異なる。複数の異なるプロジェクト（例えば、e-tailor（イーテイラー））によって集められたデータを用いれば、マネキン６は、特定の国やその他の地理的な領域の人間を正確に再現するように調整可能である。これは、服飾会社が遠く離れた市場のために新たな製品を開発する際に、特に有用である。
【００３３】
マネキン６は、上半身部分に加えて下半身部分を含んでもよく、また、上半身のマネキンについて以上で説明した原理と同一の原理を用いた下半身部分のマネキンを別個に作製してもよい。
【００３４】
以上で説明した例示的な形態は、本発明の原理を示したものであり、包括的に示したものではなく、また、開示した形態に限定するように意図されたものではない。本発明の範囲は、添付の請求の範囲によって規定され、均等物も含まれるものである。
【図１】
2010521253.tif 000003
【図２】
2010521253.tif 000004
【図３】
2010521253.tif 000005
【図４】
2010521253.tif 000006
【図５】
2010521253.tif 000007
【図６】
2010521253.tif 000008
【図７】
2010521253.tif 000009
【図８】
2010521253.tif 000010
【国際調査報告】
2010521253.tif 000011
2010521253.tif 000012
2010521253.tif 000013
2010521253.tif 000014